(57)【要約】      （修正有）【課題】配線用具の先端部を押し当てる個所がない場合にも最初から折り曲げておくことができ、しかも折り曲げ角の大きい小さいに係わらずどのような折り曲げ角にも折り曲げることのできる配線用具を提供する。【解決手段】この発明の配線用具は、塑性変形する線材１からなるものにしている。塑性変形する線材１としては、複数本連結可能にしたものにすることができる。さらに、塑性変形する線材１としては、塑性変形する金属線１ａまたは合成樹脂線１ｂにすることができる。また、塑性変形する線材１としては、塑性変形する金属線または合成樹脂線のいずれかによる撚り線にすることができる。さらにまた、塑性変形する線材１としては、塑性変形する金属線と合成樹脂線による撚り線にすることができる。しかも、塑性変形する線材１の表面には、保護膜を設けたものにすることができる。【選択図】図１
2005130539.tif 000002
【特許請求の範囲】
【請求項１】
塑性変形する線材からなることを特徴とする配線用具。
【請求項２】
塑性変形する線材が、複数本連結可能にしたものであることを特徴とする請求項１記載の配線用具。
【請求項３】
塑性変形する線材が、塑性変形する金属線または合成樹脂線であることを特徴とする請求項１または２記載の配線用具。
【請求項４】
塑性変形する線材が、塑性変形する金属線または合成樹脂線のいずれかによる撚り線であることを特徴とする請求項１または２記載の配線用具。
【請求項５】
塑性変形する線材が、塑性変形する金属線と合成樹脂線による撚り線であることを特徴とする請求項１または２記載の配線用具。
【請求項６】
塑性変形する線材の表面に、保護膜を設けたことを特徴とする請求項１〜５のいずれかに記載の配線用具。
【発明の詳細な説明】
【技術分野】
【０００１】
この発明は、電線、ケーブル等の線状物を、建築物の天井裏、床下等に配線したり、障害物を避けて配線したりする場合等に使用する配線用具に関するものである。
【背景技術】
【０００２】
従来、この種の配線用具としては、単なる弾性棒状体の先端部に、電線、ケーブル等の線状物の連結具を取り付けたもののほか、例えば図１２に示したように、グラスファイバーで成形されて可撓性かつ真直復元性を有する中実棒材１１を、連結金具１２を用いて複数本順次連結すると共に、先端に電線連繋部１３を取り付けたものが存在した（特許文献１）。
【０００３】
このように構成した従来の配線用具は、例えば図１３に示したように、天井裏Ｔから外壁１４と内壁１５との壁空間Ｓに挿入し、先端部をコンセントボックス１６等から引き出す。そして、その配線用具の先端部に設けた連結金具１３に、電線、ケーブル等の線状物Ｌの先端部を連結し、配線用具を引き戻す。すると、電線、ケーブル等の線状物Ｌが前記壁空間Ｓに引き込まれ、天井裏Ｔまで引っ張られる。これにより、電線、ケーブル等の線状物Ｌが壁空間Ｓから天井裏Ｔに配されることになる。
【特許文献１】登録実用新案第３０３２５４９号公報（第４頁、図１、３）
【発明の開示】
【発明が解決しようとする課題】
【０００４】
従来の配線用具は、直線状に弾性復帰可能としているので、上記図１３に示したように、天井裏Ｔから外壁１４と内壁１５との壁空間Ｓに挿入する場合、曲り角Ｒや外壁１４に中実棒材１１の先端に取り付けた電線連繋部１３を押し当てて折り曲げればよいが、電線、ケーブル等の線状物Ｌを、天井裏等の同一平面上に設けた孔から孔に配線するような場合や、障害物を避けて配線するような場合には、前記電線連繋部１３を押し当てる個所がないので折り曲げることができず、このような場合の使用は不可能であった。
【０００５】
そこで、この発明は、上記従来の問題点を解決することをその課題としており、配線用具の先端部を押し当てる個所がない場合にも最初から折り曲げておくことができ、しかも折り曲げ角の大きい小さいに係わらずどのような折り曲げ角にも折り曲げることのできる配線用具を提供することを目的としてなされたものである。
【課題を解決するための手段】
【０００６】
そのため、この発明の配線用具は、塑性変形する線材１からなるものにしている。
【０００７】
そして、この発明の配線用具では、塑性変形する線材１を、複数本連結可能にしたものにすることができる。
【０００８】
さらに、この発明の配線用具では、塑性変形する線材１を、塑性変形する金属線１ａまたは合成樹脂線１ｂにすることができる。
【０００９】
また、この発明の配線用具では、塑性変形する線材１を、塑性変形する金属線または合成樹脂線のいずれかによる撚り線にすることができる。
【００１０】
さらにまた、この発明の配線用具では、塑性変形する線材１を、塑性変形する金属線と合成樹脂線による撚り線にすることができる。
【００１１】
しかも、この発明の配線用具では、塑性変形する線材１の表面に、保護膜を設けたものにすることができる。
【発明の効果】
【００１２】
この発明の配線用具は、以上に述べたように構成されているので、配線用具の先端部を押し当てる個所がない場合にも最初から折り曲げておくことができ、しかも折り曲げ角の大きい小さいに係わらずどのような折り曲げ角にも折り曲げることができるものになり、電線、ケーブル等の線状物を、天井裏等の同一平面上に設けた孔から孔に配線するような場合や、障害物を避けて配線するような場合等、幅広い使用が可能なものになった。
【発明を実施するための最良の形態】
【００１３】
以下、この発明の配線用具を実施するための最良の形態を、図面に基づいて詳細に説明する。
【００１４】
図１〜４は、この発明の配線用具を巻回した状態の全体斜視図を示しており、塑性変形する線材１からなるものにしている。さらに、この発明の配線用具は、図５、６に示したように、前記塑性変形する線材１を、必要に応じて複数本連結可能にしたものにすることができる。この線材１は、図１に示したように、塑性変形する金属線１ａまたは合成樹脂線１ｂの単線にしても、図２に示したように、塑性変形する金属線１ａと塑性変形する合成樹脂線１ｂとの撚り線にしてもよい。また、この線材１は、図３に示したように、塑性変形する金属線１ａどうしの撚り線にしても、図４に示したように、塑性変形する合成樹脂線１ｂどうしの撚り線にしてもよい。線材１を単線にした場合には、直線状としているが、撚回状にしてもよい。
【００１５】
前記線材１を金属線１ａと合成樹脂線１ｂを撚り線にする場合には、それぞれを一本づつ使用してよいが、一本と複数本を組み合わせたものにしたり、複数本と複数本を組み合わせたものにすることもできる。
【００１６】
さらに、前記線材１の表面には、合成樹脂または塗料などの保護膜を設けたものにすることができる。この保護膜は、前記線材１の擦傷を防ぐと共に、線材１を天井裏等で滑動し易くし、撚り線の場合は撚りの戻りを防止するためのものである。
【００１７】
前記線材１の長さは、特に限定されることはなく、１０ｍを越えるものとしてもよく、また連結使用が可能な場合の一本の線材１の長さは、約１〜２ｍにしている。したがって、前記線材１が１０ｍを越えるような長尺の場合であっても、巻回すれば嵩が低くなるので持ち運び易いものになり、前記線材１が連結使用可能で約１〜２ｍと短尺の場合には、複数本を束ねれば、持ち運び易いものになる。
【００１８】
前記金属線１ａとしては、アルミ線、真鍮線、銅線、鉄線等とすることができ、その断面形状は、通常円形としているが、楕円形やその他の形状とすることもできる。金属線１ａの断面形状を円形にした場合には、撚り線の場合を含めて一本の線径を約２〜６ｍｍにするのが、自由な形状に簡単に折り曲げることができ、配線用具の使用時にその形状を維持することができ、しかも元の形状に簡単に戻すことができるものになる。
【００１９】
前記合成樹脂線１ｂとしては、ナイロン樹脂線、ポリアセタール樹脂線、ポリエチレンテレフタレート樹脂線、ポリ塩化ビニル樹脂線等とすることができ、その断面形状は、通常円形としているが、楕円形やその他の形状とすることもできる。合成樹脂線１ｂの断面形状を円形にした場合には、撚り線の場合を含めて一本の線径を約２〜６ｍｍにするのが、自由な形状に簡単に折り曲げることができ、配線用具の使用時にその形状を維持することができ、しかも元の形状に簡単に戻すことができるものになる。
【００２０】
なお、前記線材１を単線にした場合には、折り曲げて使用した後に元の形状に戻しても、曲げ部分がコブ状に残ってしまうことがあるが、線材１を撚り線にした場合には、このようなときにも曲げ部分がコブ状に残り難くなる。
【００２１】
さらに、前記線材１は、滑剤や絶縁剤で表面コーテングすることにより、線材１に滑性や絶縁性を付与しておくことができる。
【００２２】
また、前記線材１の一端や両端には、図１〜４に示したように連結部１ｃを設け、この連結部１ｃに、電線、ケーブル等の線状物Ｌの連結具２を設けたものにすることができる。この連結具２は、図１〜４に示したように、輪形状にすると共にこの輪を拡縮可能とした調整部材２ａを有した柔軟性線材からなるものや、小孔２ｂを設けた短棒状の金具としたり、図７、８に示したように、単に輪形状にした金具としたり、図８に示したように、金属線材を鉤状に折り曲げたフック金具にしたりすることができるが、電線、ケーブル等の線状物Ｌと連結できるものであれば、特にその構造は限定されない。なお、前記線材１の一端や両端には連結具２を設けなくても、図９に示したように、この線材１の一端や両端を折り曲げて輪形状にしたりして、電線、ケーブル等の線状物Ｌを連結することもできる。
【００２３】
さらに、この発明において、前記線材１を、複数本連結可能にしたものでは、前記線材１の両端に設けた連結部１ｃにより、図５に示したように、他の線材１を次々に連結できるようにしている。前記線材１は、短いものどうしや、長いものどうしを複数本連結したり、短いものと長いものを組み合わせて複数本連結すれば、前記線材１をどのような長さにも調節することができ、非常に使用し易いものになる。なお、前記線材１の一端や両端には、図１〜４に示したものと同様に、電線、ケーブル等の線状物Ｌの連結具２を設けたものにすることができ、その連結具２も前記図７、８に示したものと同様にすることができる。また、前記線材１の一端や両端には、連結具２を設けなくても、前記図９に示したものと同様にして、電線、ケーブル等の線状物Ｌを連結することができる。
【００２４】
このように構成したこの発明の配線用具は、例えば図１０に示したように、天井裏Ｔ等の同一平面上に設けた孔Ｈａから孔Ｈｂに電線、ケーブル等の線状物Ｌを配線するような場合には、線材１を図１〜４に示したような巻回した状態から、線材１を伸ばして、または図５に示したように複数本連結した線材１を、孔Ｈａから孔Ｈｂまでの放物線を描くような形状にし、この配線用具の先端を孔Ｈａから挿入して、天井裏Ｔに這わせて行き、その先端を孔Ｈｂから引き出す。そして、その配線用具の先端に設けた連結具２に電線、ケーブル等の線状物Ｌの先端部を連結し、配線用具を引き戻す。すると、電線、ケーブル等の線状物Ｌが前記孔Ｈａから孔Ｈｂに配線されることになる。
【００２５】
また、この発明の配線用具は、例えば図１１に示したように、障害物Ｏを迂回して電線、ケーブル等の線状物Ｌを配線するような場合には、前記孔Ｈａから孔Ｈｂまでの放物線を描くような形状にした線材１を更に折り曲げて、元の位置に戻るまで折り曲げ、この配線用具の先端を障害物Ｏを迂回するように差し込んで行き、その先端を元の位置に戻す。そして、その配線用具の先端に設けた連結具２に電線、ケーブル等の線状物Ｌの先端部を連結し、配線用具を引き戻す。すると、電線、ケーブル等の線状物Ｌが障害物Ｏを迂回して配線されることになる。この場合、配線用具は、障害物Ｏに接触して折り曲げが戻されることがあるが、配線作業が終わってからのことであるので問題はない。
【００２６】
なお、この発明の配線用具は、電線、ケーブル等の線状物Ｌの配線作業が終われば、図１〜４に示したように、線材１を巻回した状態に戻しておいたり、図６に示したように、線材１どうしの連結を外した状態にしておくことができ、この巻回した状態や連結を外した状態で保管したり、運搬したりすることができる。
【図面の簡単な説明】
【００２７】
【図１】この発明の配線用具の一実施形態を示しており、線材を巻回した状態の全体斜視図である。
【図２】この発明の配線用具の他の実施形態を示しており、線材を巻回した状態の全体斜視図である。
【図３】この発明の配線用具のさらに他の実施形態を示しており、線材を巻回した状態の全体斜視図である。
【図４】この発明の配線用具のさらに他の実施形態を示しており、線材を巻回した状態の全体斜視図である。
【図５】この発明の配線用具のさらに他の実施形態を示しており、線材を複数本連結した状態の斜視図である。
【図６】この発明の配線用具のさらに他の実施形態を示しており、複数本連結した線材を外した状態の斜視図である。
【図７】この発明の配線用具の一端に設けた先端金具の一例を示す説明図である。
【図８】この発明の配線用具の両端に設けた先端金具の他の例を示す説明図である。
【図９】この発明の配線用具の一端に先端金具を設けていない例を示す説明図である。
【図１０】この発明の配線用具の使用状態の一例を示す説明図である。
【図１１】この発明の配線用具の使用状態の他の例を示す説明図である。
【図１２】従来の配線用具を示す分解斜視図である。
【図１３】従来の配線用具の使用状態の一例を示す説明図である。
【符号の説明】
【００２８】
１  線材
１ａ  金属線
１ｂ  合成樹脂線
【図１】
2005130539.tif 000003
【図２】
2005130539.tif 000004
【図３】
2005130539.tif 000005
【図４】
2005130539.tif 000006
【図５】
2005130539.tif 000007
【図６】
2005130539.tif 000008
【図７】
2005130539.tif 000009
【図８】
2005130539.tif 000010
【図９】
2005130539.tif 000011
【図１０】
2005130539.tif 000012
【図１１】
2005130539.tif 000013
【図１２】
2005130539.tif 000014
【図１３】
2005130539.tif 000015